(57)【要約】【課題】ヒータへ供給される電力を制限しつつ、ＦＰＯＴを短縮することができる画像形成装置を提供すること。【解決手段】制御部３３は、ゼロクロスタイミングを特定すると（Ｓ１）、サブヒータ３２を通電状態とさせ（Ｓ３）、ヒータ電流が閾値ＴＨ1以上となると、サブヒータ３２を非通電状態とする（Ｓ７）。また、制御部３３は、ステップＳ１７にて、第４時間ＴＤ4を算出し、ステップＳ２９にて、第１時間ＴＤ1〜第４時間ＴＤ4に基づき、半周期の終了のゼロクロスタイミングから第１時間ＴＤ1遡ったタイミングにてサブヒータ３２を通電状態とする。これにより、交流の半周期において、ゼロクロスタイミングから第１時間ＴＤ1経過する間と、ゼロクロスタイミングから第１時間ＴＤ1遡ったタイミングから第１時間ＴＤ1経過する間との２回、サブヒータ３２は通電状態とされるため、ＦＰＯＴを短縮することができる。【選択図】図３
2019179154.tif 000002
【特許請求の範囲】
【請求項１】
第１ヒータと、
前記第１ヒータに直列接続される電流センサと、
前記第１ヒータと直列接続され、第１オン信号を受けて導通状態となり、第１オフ信号を受けて非導通状態となる第１切替素子と、
制御部と、を備え、
前記制御部は、
交流の半周期の開始タイミングに基づく第１タイミングにて、前記第１切替素子に前記第１オン信号を出力し、
前記第１オン信号を出力してから増加していく前記電流センサに流れる交流電流の値が閾値となる第１閾値タイミングよりも早い第２タイミングにて、前記第１切替素子に前記第１オフ信号を出力し、
前記第１タイミングから前記第２タイミングまでの間の所定タイミングにて前記電流センサから受ける信号に基づき、当該交流の半周期の開始タイミングから前記第１閾値タイミングまでの時間を決定し、
当該交流の半周期の終了タイミングから、決定した前記時間遡った第３タイミングを算出し、
算出した第３タイミング以後に、前記第１切替素子に前記第１オン信号を出力する
ことを特徴とする画像形成装置。
【請求項２】
前記制御部は、
前記電流センサから受ける信号に基づく値が、前記閾値よりも小さく設定された所定値未満の値から、前記所定値から前記閾値までの範囲内の値に変化する前記第２タイミングにて、前記第１切替素子に前記第１オフ信号を出力し、
前記交流の半周期の開始タイミングから前記第２タイミングまでの時間を、前記交流の半周期の開始タイミングから前記第１閾値タイミングまでの時間に決定することを特徴とする請求項１に記載の画像形成装置。
【請求項３】
前記制御部は、
前記所定タイミングにて前記電流センサから受ける信号に基づく値と、前記所定タイミングとを用いて、前記第１タイミングから前記第１閾値タイミングまでの間に前記第１ヒータに流れる交流電流の値の変化を表す数式を決定し、
決定した前記数式と前記閾値とを用いて、前記交流の半周期の開始タイミングから前記第１閾値タイミングまでの時間を決定することを特徴とする請求項１に記載の画像形成装置。
【請求項４】
前記制御部は、
前記第３タイミングにて前記第１切替素子に前記第１オン信号を出力することを特徴とする請求項１から３の何れかに記載の画像形成装置。
【請求項５】
前記制御部は、
前記開始タイミングにて前記第１切替素子に前記第１オン信号を出力することを特徴とする請求項１から４の何れかに記載の画像形成装置。
【請求項６】
前記第１ヒータと並列接続される第２ヒータと、
前記第２ヒータと直列接続され前記第１ヒータと並列接続され、第２オン信号を受けて導通状態となり、第２オフ信号を受けて非導通状態となる第２切替素子と、を備え、
前記電流センサは、前記第１ヒータおよび前記第２ヒータに直列接続され、
前記第１切替素子は、前記第１ヒータと直列接続され前記第２ヒータと並列接続され、
前記制御部は、
前記開始タイミングに基づき、前記第２タイミングよりも早い第４タイミングにて、前記第２切替素子に前記第２オン信号を出力し、
前記第４タイミングから前記第２タイミングまでの間の前記所定タイミングにて前記電流センサから受ける信号に基づき、前記開始タイミングから前記第１閾値タイミングまでの時間を決定し、
前記第２オン信号を出力してから増加していく前記電流センサに流れる交流電流の値が前記閾値となる第２閾値タイミングよりも早く、かつ前記第２タイミングよりも遅い第５タイミングにて、前記第２切替素子に前記第２オフ信号を出力し、
前記第２タイミングから前記第５タイミングまでの間の所定タイミングにて前記電流センサから受ける信号に基づき、前記開始タイミングから前記第２閾値タイミングまでの時間を決定し、
決定した前記開始タイミングから前記第２閾値タイミングまでの時間、前記終了タイミングから遡った第６タイミングを算出し、
算出した前記第６タイミング以後に、前記第２切替素子に前記第２オン信号を出力することを特徴とする請求項１から５の何れかに記載の画像形成装置。
【請求項７】
前記制御部は、
前記第６タイミングにて前記第２切替素子に前記第２オン信号を出力することを特徴とする請求項６に記載の画像形成装置。
【請求項８】
前記制御部は、
前記開始タイミングにて前記第２切替素子に前記第２オン信号を出力することを特徴とする請求項６または７に記載の画像形成装置。
【請求項９】
前記第１切替素子および前記第２切替素子は、ＩＧＢＴであることを特徴とする請求項６から８の何れかに記載の画像形成装置。
【発明の詳細な説明】
【技術分野】
【０００１】
本発明は、画像形成装置に関するものである。
【背景技術】
【０００２】
従来、ヒータを備える画像形成装置において、ヒータに供給される電力を制限しつつ、印刷要求から最初の一枚目のシートが出力されるまでの時間であるＦＰＯＴ（First Print Out Time）を短縮する技術がある。例えば、特許文献１には、交流電流の半周期において電圧印加が２回行われる構成が記載されている。詳しくは、１回目の電圧印加は位相角が０となるタイミングにおいて開始されてπ／２より小さい位相角となるタイミングにおいて終了される。２回目の電圧印加はπ／２より大きくπより小さい位相角となるタイミングにおいて開始されて位相角πとなるタイミングにおいて終了される。また、１回目の電圧印加の終了のタイミングおよび２回目の電圧印加の開始のタイミングは、実験等により予め求められたデータに基づき行われると記載されている。
【先行技術文献】
【特許文献】
【０００３】
【特許文献１】特開２０１３−６１９００号公報
【発明の概要】
【発明が解決しようとする課題】
【０００４】
しかしながら、ヒータの抵抗値は例えば使用状況などにより変動する。このため、予め求められたデータでは、例えば実際にはヒータの抵抗値が大きく、電圧印加時間を長くする余裕があるにもかかわらず、電圧印加時間が短く制御されて、ＦＰＯＴの短縮が十分ではないおそれがあった。
【０００５】
本願は、上記の課題に鑑み提案されたものであって、ヒータへ供給される電力を制限しつつ、ＦＰＯＴを短縮することができる画像形成装置を提供することを目的とする。
【課題を解決するための手段】
【０００６】
本明細書は、第１ヒータと、第１ヒータに直列接続される電流センサと、第１ヒータと直列接続され、第１オン信号を受けて導通状態となり、第１オフ信号を受けて非導通状態となる第１切替素子と、制御部と、を備え、制御部は、交流の半周期の開始タイミングに基づく第１タイミングにて、第１切替素子に第１オン信号を出力し、第１オン信号を出力してから増加していく電流センサに流れる交流電流の値が閾値となる第１閾値タイミングよりも早い第２タイミングにて、第１切替素子に第１オフ信号を出力し、第１タイミングから第２タイミングまでの間の所定タイミングにて電流センサから受ける信号に基づき、当該交流の半周期の開始タイミングから第１閾値タイミングまでの時間を決定し、当該交流の半周期の終了タイミングから、決定した時間遡った第３タイミングを算出し、算出した第３タイミング以後に、第１切替素子に第１オン信号を出力することを特徴とする画像形成装置を開示する。
【発明の効果】
【０００７】
本願に係る画像処理装置によれば、ヒータへ供給される電力を制限しつつ、ＦＰＯＴを短縮することができる画像形成装置を提供することができる。
【図面の簡単な説明】
【０００８】
【図１】実施形態に係るレーザプリンタの断面図である。
【図２】加熱装置の回路図である。
【図３】ヒータ制御処理のフローチャートである。
【図４】半周期におけるヒータ電流の波形を示す図である。
【図５】複数周期におけるヒータ電流の波形を示す図である。
【図６】ハロゲンヒータを１つ備える構成におけるヒータ電流の波形を示す図である。
【図７】別例に係るハロゲンヒータを１つ備える構成における、ＯＮタイミングの算出方法を説明する図である。
【発明を実施するための形態】
【０００９】
以下、本願の一実施形態について図面を参照して説明する。図１は、本願に係る画像形成装置の実施形態であるモノクロレーザプリンタであるプリンタ１の断面図である。プリンタ１は、本体ケーシング２内の下部に配置されたトレイ４から供給されるシートに対し、画像形成部５にてトナー像を形成した後、定着器７にてそのトナー像を加熱して定着処理を行い、最後にシートを本体ケーシング２の上部に位置する排紙トレイ９に排紙する。なお、図１では、紙面右側を装置の前側と規定し、装置を前側から見た場合に左手に来る側（紙面手前側）を左側と規定して、前後、左右及び上下の各方向を定義する。
【００１０】
画像形成部５は、スキャナ部１１、現像カートリッジ１３、感光ドラム１７、帯電器１８、転写ローラ１９等を含む。スキャナ部１１は、本体ケーシング２内の上方に配置されており、レーザ発光部（不図示）から発射されたレーザ光を、不図示のポリゴンミラー、反射鏡、レンズ等を介して感光ドラム１７の表面上に高速走査にて照射させる。
【００１１】
現像カートリッジ１３は、プリンタ１の本体に対して着脱可能に構成されており、その内部にはトナーを収容している。また、現像カートリッジ１３は、現像ローラ２１及び供給ローラ２３を備え、現像ローラ２１及び供給ローラ２３は互いに対向した状態で設けられている。また、現像ローラ２１は、感光ドラム１７と対向した状態で配置されている。現像カートリッジ１３内のトナーは、供給ローラ２３の回転により現像ローラ２１に供給され、現像ローラ２１に担持される。
【００１２】
感光ドラム１７の後方側の上方には、帯電器１８が間隔を隔てて配置されている。また、感光ドラム１７の下方には、転写ローラ１９が感光ドラム１７に対向して配置されている。感光ドラム１７は、回転しつつ、帯電器１８によって表面が一様に、例えば正極性に帯電される。次いで、スキャナ部１１からのレーザ光により感光ドラム１７の表面上に静電潜像が形成される。その後、感光ドラム１７と接触して回転する現像ローラ２１上に担持されているトナーが、感光ドラム１７の表面上の静電潜像に供給されて担持されることによって、感光ドラム１７の表面上にトナー像が形成される。形成されたトナー像は、シートが感光ドラム１７と転写ローラ１９との間を通る間に、転写ローラ１９に印加される転写バイアスによって、シートに転写される。
【００１３】
定着器７は、画像形成部５に対してシートの搬送方向の下流側（プリンタ１内における後方側）に配置され、定着ローラ２７、定着ローラ２７を押圧する加圧ローラ２９、及び定着ローラ２７を加熱するメインヒータ３１およびサブヒータ３２等を含む。定着ローラ２７は、図２に示す制御部３３によって制御される電動モータ（不図示）の駆動に応じて回転し、シートに転写されたトナーを加熱しつつ、シートに搬送力を付与する。一方、加圧ローラ２９は、シートを定着ローラ２７側に押圧しながら従動回転する。メインヒータ３１およびサブヒータ３２はハロゲンヒータであり、図２に示す加熱装置３０の制御部３３によって通電を制御される。メインヒータ３１は、定着ローラ２７の軸方向における中央付近において、定着ローラ２７に内設されている。一方、サブヒータ３２は、定着ローラ２７の軸方向における両端部において、定着ローラ２７に内設されている。
【００１４】
図２に示すように、加熱装置３０は、メインヒータ３１、サブヒータ３２、制御部３３、ＡＣ／ＤＣコンバータ３４、ＤＣ／ＤＣコンバータ３５、ゼロクロス検出回路３６、電流センサ３７、リレー４２、ヒータ制御回路４３，４４などを含む。制御部３３は、例えば、ＣＰＵ上で動作するプログラムを主体として構成してもよい。あるいは、制御部３３を、例えば、ＡＳＩＣなどの専用のハードウェアで構成してもよい。また、制御部３３は、例えばソフトウェアによる処理と、ハードウェアによる処理とを併用して動作する構成でもよい。また、制御部３３は、メモリ３３Ａおよびカウンタ３３Ｂを有する。メモリ３３Ａは、例えば、ＲＡＭ、ＲＯＭ、およびフラッシュメモリなどにより実現され、制御や処理に係わる情報および後述するヒータ制御処理などのプログラムなどを保存等する。カウンタ３３Ｂは、時間を計測する。
【００１５】
メインヒータ３１およびサブヒータ３２は、交流電源１０１の通電に応じて発熱する。サブヒータ３２はメインヒータ３１と並列接続されている。尚、ここではメインヒータ３１の消費電力はサブヒータ３２の消費電力よりも大きいものとする。ＡＣ／ＤＣコンバータ３４は、例えば１００Ｖの交流電圧を２４Ｖの直流電圧に変換し、ＤＣ／ＤＣコンバータ３５へ出力する。ＤＣ／ＤＣコンバータ３５は、２４Ｖの直流電圧を３．３Ｖの直流電圧に変換し、制御部３３などへ供給する。電流センサ３７はメインヒータ３１およびサブヒータ３２に直列接続されている。電流センサ３７は交流電源１０１からメインヒータ３１へ流れる電流および／またはサブヒータ３２へ流れる電流の大きさに応じた信号である電流値信号Ｓｉｇ１を制御部３３へ出力する。尚、制御部３３などの消費電流に対してメインヒータ３１およびサブヒータ３２の消費電流は十分大きいため、ここでは、制御部３３が電流センサ３７によって検出する電流値をメインヒータ３１および／またはサブヒータ３２へ流れる電流値とみなし、制御部３３などの消費電流は無視するものとする。電流センサ３７は、ホール素子や増幅回路等を有する。電流センサ３７は、電流に比例して発生する磁界をホール素子のホール効果により電圧に変換し、変換した電圧を増幅回路により増幅して制御部３３に出力する。尚、電流センサ３７には、ホール素子に代えて、フラックスゲート型電磁センサを用いてもよい。以下の記載において、メインヒータ３１および／またはサブヒータ３２へ流れる電流、すなわち電流センサ３７に流れる電流をヒータ電流と記載する場合がある。リレー４２は、制御部３３から出力されるリレー制御信号Ｓｉｇ２に応じて、交流電源１０１とメインヒータ３１およびサブヒータ３２とを電気的に接続するか否かを切替える。
【００１６】
ゼロクロス検出回路３６は、交流電源１０１のゼロクロスタイミングを検出すると、パルス信号であるゼロクロス信号Ｓｉｇ３を制御部３３へ出力する。詳しくは、ゼロクロス検出回路３６は、ダイオードブリッジ５１、フォトカプラＰＣ２１、抵抗Ｒ２１，Ｒ２２、およびＮＰＮ型バイポーラトランジスタであるトランジスタＴｒ１などを含む。交流電源１０１の電力は、ダイオードブリッジ５１により全波整流され、フォトカプラＰＣ２１のＬＥＤに印加される。フォトカプラＰＣ２１のフォトトランジスタのコレクタ端子は、抵抗Ｒ２１を介して２４Ｖ直流電源に接続され、エミッタ端子は接地される。トランジスタＴｒ１のベース端子は抵抗Ｒ２１とフォトカプラＰＣ２１のフォトトランジスタとの接続点に接続され、コレクタ端子は制御部３３に接続され、エミッタ端子は接地される。尚、トランジスタＴｒ１のコレクタ端子と制御部３３とを接続する配線は、制御部３３内部にて電源電圧にプルアップされる。フォトカプラＰＣ２１のＬＥＤは印加電力に応じた発光量で発光する。このため、フォトカプラＰＣ２１のＬＥＤの印加電圧が小さくなると、フォトカプラＰＣ２１のフォトトランジスタのオン抵抗は大きくなり、トランジスタＴｒ１のベース電圧は大きくなる。そして、トランジスタＴｒ１のベース電圧が閾値を超えるとトランジスタＴｒ１はオンし、ゼロクロス信号Ｓｉｇ３はロウレベルとなる。従って、ゼロクロス検出回路３６が出力するゼロクロス信号Ｓｉｇ３は、交流電源１０１のゼロクロスタイミング前後の所定時間だけロウレベルとなるパルス信号となる。制御部３３は、入力されるゼロクロス信号Ｓｉｇ３に基づき、交流電源１０１とゼロクロス検出回路３６との間で流れる交流電流のゼロクロスタイミングを特定する。
【００１７】
ヒータ制御回路４３およびヒータ制御回路４４はＩＧＢＴ（Insulated Gate Bipolar Transistor）を含んで構成されている。ヒータ制御回路４３に含まれるＩＧＢＴは、メインヒータ３１と直列接続されサブヒータ３２と並列接続されている。ヒータ制御回路４４に含まれるＩＧＢＴは、サブヒータ３２と直列接続されメインヒータ３１と並列接続されている。ヒータ制御回路４３に含まれるＩＧＢＴは、コレクタ端子およびエミッタ端子のいずれか一方が交流電源１０１の一方の極に、コレクタ端子およびエミッタ端子のいずれか他方がメインヒータ３１およびリレー４２を介して交流電源１０１の他方の極に接続される。ヒータ制御回路４３には制御部３３から出力されるメインヒータ制御信号Ｓｉｇ４が入力され、ヒータ制御回路４３の導通状態はメインヒータ制御信号Ｓｉｇ４のレベルに応じて切替わる。詳しくは、メインヒータ３１を通電された状態とする場合、制御部３３はメインヒータ制御信号Ｓｉｇ４のレベルをヒータ制御回路４３に含まれるＩＧＢＴが導通状態となるレベルに切替える。これにより、導通状態とされるレベルである第２オン信号の一例としてのメインヒータ制御信号Ｓｉｇ４を制御部３３から受けてヒータ制御回路４３に含まれるＩＧＢＴが導通状態となり、メインヒータ３１は通電された状態となる。一方、メインヒータ３１を通電されていない状態とする場合には、制御部３３はメインヒータ制御信号Ｓｉｇ４のレベルをヒータ制御回路４３に含まれるＩＧＢＴが非導通状態となるレベルに切替える。これにより、非導通状態とされるレベルである第２オフ信号の一例としてのメインヒータ制御信号Ｓｉｇ４を制御部３３から受けてヒータ制御回路４３に含まれるＩＧＢＴが非導通状態となり、メインヒータ３１は通電されていない状態となる。サブヒータ３２の制御についても同様である。即ち、ヒータ制御回路４４に含まれるＩＧＢＴは、コレクタ端子およびエミッタ端子のいずれか一方が交流電源１０１の一方の極に、コレクタ端子およびエミッタ端子のいずれか他方がサブヒータ３２およびリレー４２を介して交流電源１０１の他方の極に接続される。また、ヒータ制御回路４４には、制御部３３から出力されるサブヒータ制御信号Ｓｉｇ５が入力され、ヒータ制御回路４４の導通状態はサブヒータ制御信号Ｓｉｇ５のレベルにおうじて切替わる。詳しくは、サブヒータ３２を通電された状態とする場合、制御部３３はサブヒータ制御信号Ｓｉｇ５のレベルをヒータ制御回路４４に含まれるＩＧＢＴが導通状態となるレベルに切替える。これにより、導通状態とされるレベルであるサブヒータ制御信号Ｓｉｇ５を制御部３３から受けてヒータ制御回路４４に含まれるＩＧＢＴが導通状態となり、サブヒータ３２は通電された状態となる。一方、サブヒータ３２を通電されていない状態とする場合には、制御部３３はサブヒータ制御信号Ｓｉｇ５のレベルをヒータ制御回路４４に含まれるＩＧＢＴが非導通状態となるレベルに切替える。これにより、非導通状態とされるレベルである第１オフ信号の一例としてのサブヒータ制御信号Ｓｉｇ５を制御部３３から受けてヒータ制御回路４４に含まれるＩＧＢＴが非導通状態となり、サブヒータ３２は通電されていない状態となる。以下の説明において、制御部３３が所定のレベルのメインヒータ制御信号Ｓｉｇ４およびサブヒータ制御信号Ｓｉｇ５の各々を出力することにより、ヒータ制御回路４３およびヒータ制御回路４４に含まれるＩＧＢＴの各々を導通状態とすることを「メインヒータ３１をＯＮする」「サブヒータ３２をＯＮする」と記載する。また、制御部３３が所定のレベルとは異なるレベルのメインヒータ制御信号Ｓｉｇ４およびサブヒータ制御信号Ｓｉｇ５の各々を出力することにより、ヒータ制御回路４３およびヒータ制御回路４４に含まれるＩＧＢＴの各々を非導通状態とすることを「メインヒータ３１をＯＦＦする」「サブヒータ３２をＯＦＦする」と記載する。
【００１８】
制御部３３は、例えば、プリンタ１の電源がオンされると、図３に示す第１ヒータ制御処理を開始する。尚、プリンタ１の電源がオンされることに応じて、制御部３３は、リレー制御信号Ｓｉｇ２のレベルをリレー４２の接点を閉じるレベルにする。
【００１９】
制御部３３は、第１ヒータ制御処理を開始し、入力されるゼロクロス信号Ｓｉｇ３に基づき、ゼロクロスタイミングを特定すると（Ｓ１）、特定したゼロクロスタイミングでメインヒータ３１およびサブヒータ３２をＯＮし、カウンタ３３Ｂに時間の計測を開始させる（Ｓ３）。次に、制御部３３は電流値信号Ｓｉｇ１が示すヒータ電流の電流値が予めメモリ３３Ａに記憶されている閾値ＴＨ1に達したか否かを判断する（Ｓ５）。尚、ここでの閾値ＴＨ1は、電流の向きによらない電流値の大きさにより規定されるものである。即ち、ステップＳ５では、電流値信号Ｓｉｇ１が示すヒータ電流の電流値の絶対値が閾値ＴＨ1に達したか否かが判断される。以下の閾値ＴＨ1を使用するステップにおいても同様である。また、閾値ＴＨ1は、定格電流値ＴＨ2を上限値とする電流範囲ΔＩaの下限値である。ヒータ電流の電流値が閾値ＴＨ1に達していないと判断することに応じて（Ｓ５：ＮＯ）、制御部３３はステップＳ５へ戻り、ＹＥＳと判断するまでステップＳ５を繰り返し実行する。ヒータ電流の電流値が閾値ＴＨ1に達したと判断することに応じて（Ｓ５：ＹＥＳ）、制御部３３はサブヒータ３２をＯＦＦする。尚、閾値ＴＨ1は、ステップＳ５でＮＯと判断されてから、ステップＳ５でＮＯと判断されるまでの時間におけるヒータ電流の増加量は、電流範囲ΔＩaよりも小さい。以下のステップＳ９，Ｓ１３についても同様である。また、制御部３３はカウンタ３３Ｂに計測を終了させ、計測された時間を第１時間ＴＤ1としてメモリ３３Ａに記憶させ、カウンタ３３Ｂに時間の計測を新たに開始させる（Ｓ７）。次に、制御部３３は電流値信号Ｓｉｇ１が示すヒータ電流の電流値が閾値ＴＨ1に達したか否かを判断する（Ｓ９）。尚、この期間のヒータ電流とは、サブヒータ３２はＯＦＦされているため、メインヒータ３１のみに流れる電流である。ヒータ電流の電流値が閾値ＴＨ1に達していないと判断することに応じて（Ｓ９：ＮＯ）、制御部３３はステップＳ９へ戻り、ＹＥＳと判断するまでステップＳ９を繰り返し実行する。ヒータ電流の電流値が閾値ＴＨ1に達したと判断することに応じて（Ｓ９：ＹＥＳ）、制御部３３はメインヒータ３１をＯＦＦし、サブヒータ３２をＯＮする。また、制御部３３はカウンタ３３Ｂに計測を終了させ、計測された時間を第２時間ＴＤ2としてメモリ３３Ａに記憶させ、カウンタ３３Ｂに時間の計測を新たに開始させる（Ｓ１１）。
【００２０】
次に、制御部３３は電流値信号Ｓｉｇ１が示すヒータ電流の電流値が閾値ＴＨ1に達したか否かを判断する（Ｓ１３）。尚、この期間のヒータ電流とは、メインヒータ３１はＯＦＦされているため、サブヒータ３２のみに流れる電流である。ヒータ電流の電流値が閾値ＴＨ1に達していないと判断することに応じて（Ｓ１３：ＮＯ）、制御部３３はステップＳ１３へ戻り、ＹＥＳと判断するまでステップＳ１３を繰り返し実行する。ヒータ電流の電流値が閾値ＴＨ1に達したと判断することに応じて（Ｓ１３：ＹＥＳ）、制御部３３はサブヒータ３２をＯＦＦする。また、制御部３３はカウンタ３３Ｂに計測を終了させ、計測された時間を第３時間ＴＤ3としてメモリ３３Ａに記憶させ、カウンタ３３Ｂに時間の計測を新たに開始させる（Ｓ１５）。次に、制御部３３は第４時間ＴＤ4を交流電源１０１の周期Ｔを用いて次の式により算出する（Ｓ１７）。
ＴＤ4＝Ｔ/２−（ＴＤ1＋ＴＤ2＋ＴＤ3）×２
【００２１】
次に、制御部３３は、カウンタ３３Ｂが計測する時間に基づき、ステップＳ１５を実行してからメモリ３３Ａに記憶させた第４時間ＴＤ4が経過したか否かを判断する（Ｓ１９）。第４時間ＴＤ4が経過していないと判断することに応じて（Ｓ１９：ＮＯ）、制御部３３はステップＳ１９へ戻り、ＹＥＳと判断するまでステップＳ１９を繰り返し実行する。第４時間ＴＤ4が経過したと判断することに応じて（Ｓ１９：ＹＥＳ）、制御部３３はサブヒータ３２をＯＮし、カウンタ３３Ｂに時間の計測を終了させ、カウンタ３３Ｂに時間の計測を新たに開始させる（Ｓ２１）。次に、制御部３３は、カウンタ３３Ｂが計測する時間に基づき、ステップＳ２１を実行してからメモリ３３Ａに記憶させた第３時間ＴＤ3が経過したか否かを判断する（Ｓ２３）。第３時間ＴＤ3が経過していないと判断することに応じて（Ｓ２３：ＮＯ）、制御部３３はステップＳ２３へ戻り、ＹＥＳと判断するまでステップＳ２３を繰り返し実行する。第３時間ＴＤ3が経過したと判断することに応じて（Ｓ２３：ＹＥＳ）、制御部３３はサブヒータ３２をＯＦＦし、メインヒータ３１をＯＮし、カウンタ３３Ｂに時間の計測を終了させ、カウンタ３３Ｂに時間の計測を新たに開始させる（Ｓ２５）。
【００２２】
次に、制御部３３は、カウンタ３３Ｂが計測する時間に基づき、ステップＳ２５を実行してからメモリ３３Ａに記憶させた第２時間ＴＤ2が経過したか否かを判断する（Ｓ２７）。第２時間ＴＤ2が経過していないと判断することに応じて（Ｓ２７：ＮＯ）、制御部３３はステップＳ２７へ戻り、ＹＥＳと判断するまでステップＳ２７を繰り返し実行する。第２時間ＴＤ2が経過したと判断することに応じて（Ｓ２７：ＹＥＳ）、制御部３３はサブヒータ３２をＯＮする（Ｓ２９）。次に、制御部３３は、第４時間ＴＤ4は所定時間以下であるか否かを判断する（Ｓ３１）。第４時間ＴＤ4は所定時間以下でないと判断することに応じて（Ｓ３１：ＮＯ）、ステップＳ１へ戻る。一方、第４時間ＴＤ4は所定時間以下であると判断することに応じて（Ｓ３１：ＹＥＳ）、第１ヒータ制御処理を終了する。ステップＳ１へ戻る場合、ゼロクロスタイミングに応じて、ステップＳ３以降の処理が実行される。つまり、交流電源１０１の半周期毎に、ステップＳ１〜Ｓ３１の処理が実行されることになる。
【００２３】
第１ヒータ制御処理について、横軸を時間、縦軸を電流とする図４を用いて説明する。図４では、ヒータ電流を実線で示し、メインヒータ３１に対して制御部３３が波数制御を実行したと仮定した場合のメインヒータ３１に流れる電流を「推定メインヒータ電流」として破線で示し、サブヒータ３２に対して制御部３３が波数制御を実行したと仮定した場合のサブヒータ３２に流れる電流を「推定サブヒータ電流」として破線で示している。また、メインヒータ３１およびサブヒータ３２に対して制御部３３が波数制御を実行したと仮定した場合のメインヒータ３１に流れる電流とサブヒータ３２に流れる電流との合成電流を「推定合成電流」として破線で示している。尚、後述する図５，６，９，１０においても同様の記載であるため、都度の説明は省略する。また、波数制御とは、交流電源１０１の半周期における例えばメインヒータ３１への給電を半周期の開始のゼロクロスタイミングから終了のゼロクロスタイミングまで行う制御のことである。サブヒータ３２における波数制御についても同様である。
【００２４】
ステップＳ１にて、ゼロクロスタイミングが特定されるとステップＳ３にてメインヒータ３１およびサブヒータ３２がＯＮされる。交流電源１０１の位相角が大きくなるにつれ、合成電流は大きくなり、やがて閾値ＴＨ1に達するとステップＳ７にてサブヒータ３２がＯＦＦされる。ここで、ゼロクロスタイミングからサブヒータ３２がＯＦＦされるまでの時間が第１時間ＴＤ1である。ステップＳ７にてサブヒータ３２がＯＦＦされると、ヒータ電流はメインヒータ３１へ流れる電流のみとなり、小さくなる。メインヒータ３１のみがＯＮされた状態で、位相角が大きくなるにつれ、ヒータ電流は大きくなり、やがて閾値ＴＨ1に達するとステップＳ１１にてメインヒータ３１がＯＦＦされ、サブヒータ３２がＯＮされる。ここで、サブヒータ３２がＯＦＦされてから、メインヒータ３１がＯＦＦされ、かつサブヒータ３２がＯＮされるまでの時間が第２時間ＴＤ2である。メインヒータ３１の消費電力よりもサブヒータ３２の消費電力の方が小さいため、ステップＳ１１にてＯＮされるヒータがメインヒータ３１からサブヒータ３２に切替わると、ヒータ電流は小さくなる。サブヒータ３２のみがＯＮされた状態で、位相角が大きくなるにつれ、ヒータ電流は大きくなり、やがて閾値ＴＨ1に達するとステップＳ１５にてサブヒータ３２がＯＦＦされる。メインヒータ３１およびサブヒータ３２の両方がＯＦＦされるため、ヒータ電流はほぼゼロとなる。ここで、メインヒータ３１がＯＦＦされ、かつサブヒータ３２がＯＮされてから、ＯＦＦされるまでの時間が第３時間ＴＤ3である。
【００２５】
メインヒータ３１およびサブヒータ３２の両方がＯＦＦされてから第４時間ＴＤ4が経過すると、まず、ステップＳ２１にてサブヒータ３２がＯＮされる。サブヒータ３２がＯＮされてから第３時間ＴＤ3が経過すると、ステップＳ２３にてサブヒータ３２がＯＦＦされ、メインヒータ３１がＯＮされる。サブヒータ３２がＯＦＦされ、かつメインヒータ３１がＯＮされてから第２時間ＴＤ2が経過すると、サブヒータ３２もＯＮされる。このように、４分の１周期経過してからゼロクロスタイミングまでの期間において、ゼロクロスタイミングから４分の１周期経過するまでにメインヒータ３１がＯＮされた期間と同等の期間、メインヒータ３１がＯＮされる。また、４分の１周期経過してからゼロクロスタイミングまでの期間において、ゼロクロスタイミングから４分の１周期経過するまでにサブヒータ３２がＯＮされた期間と同等の期間、サブヒータ３２がＯＮされる。
【００２６】
尚、図５に示すように、ハロゲンヒータは、通電時間が長くなり自身の温度が高くなるにつれて、自身の抵抗が大きくなるため、ヒータ電流は次第に小さくなる。このため、第１時間ＴＤ1〜第３時間ＴＤ3の各々の時間は次第に長くなり、第４時間ＴＤ4は次第に短くなる。所定の交流電源１０１の半周期において第４時間ＴＤ4が所定時間以下に短くなると、次の半周期において、サブヒータ３２に対して制御部３３が波数制御を実行したと仮定した場合のサブヒータ３２に流れる電流のピークが閾値ＴＨ1を超えなくなる。それゆえ、第４時間ＴＤ4が所定時間以下に短くなる所定の交流電源１０１の半周期の次の半周期以降において、サブヒータ電流のピークが閾値ＴＨ1を超えない波数制御をサブヒータ３２に対して実行することができる。そこで、図３のステップＳ３１において、第４時間ＴＤ4は所定時間以下であると判断することに応じて（Ｓ３１：ＹＥＳ）、第１ヒータ制御処理を終了し、制御部３３は、サブヒータ３２に対して波数制御を開始する。
【００２７】
ここで、プリンタ１は画像形成装置の一例であり、サブヒータ３２は第１ヒータの一例であり、メインヒータ３１は第２ヒータの一例であり、ヒータ制御回路４４に含まれるＩＧＢＴは第１切替素子の一例であり、ヒータ制御回路４３に含まれるＩＧＢＴは第２切替素子の一例である。
また、ヒータ制御回路４４に含まれるＩＧＢＴを導通状態とするレベルであるサブヒータ制御信号Ｓｉｇ５は第１オン信号の一例であり、ヒータ制御回路４４に含まれるＩＧＢＴを非導通状態とするレベルであるサブヒータ制御信号Ｓｉｇ５は第１オフ信号の一例である。ヒータ制御回路４３に含まれるＩＧＢＴを導通状態とするレベルであるメインヒータ制御信号Ｓｉｇ４は第２オン信号の一例であり、ヒータ制御回路４３に含まれるＩＧＢＴを非導通状態とするレベルであるメインヒータ制御信号Ｓｉｇ４は第２オフ信号の一例である。
定格電流値ＴＨ2は閾値の一例であり、閾値ＴＨ1は、閾値よりも小さく設定された所定値の一例である。ステップＳ３の実行タイミングは、第１タイミングの一例である。ステップＳ７の実行タイミングは、第２タイミングの一例である。ステップＳ２９の実行タイミングは、第３タイミングの一例である。ステップＳ３の実行タイミングは、第４タイミングの一例である。ステップＳ１１の実行タイミングは、第５タイミングの一例である。ステップＳ２５の実行タイミングは、第６タイミングの一例である。ステップＳ７の実行タイミングは、所定タイミングの一例である。第１時間ＴＤ1は、開始タイミングから第１閾値タイミングまでの時間の一例である。ゼロクロスタイミングは、開始タイミングおよび終了タイミングの一例である。
【００２８】
以上、説明した実施形態によれば、以下の効果を奏する。
制御部３３は、ゼロクロスタイミングを特定すると（Ｓ１）、ステップＳ３にて、サブヒータ制御信号Ｓｉｇ５のレベルをヒータ制御回路４４に含まれるＩＧＢＴを導通状態とするレベルに切替えて、サブヒータ３２を通電状態とさせる。また、制御部３３は、ヒータ電流が閾値ＴＨ1以上となると、ステップＳ７にて、サブヒータ制御信号Ｓｉｇ５のレベルをヒータ制御回路４４に含まれるＩＧＢＴを非導通状態とするレベルに切替えて、サブヒータ３２を非通電状態とする。また、制御部３３は、ステップＳ１７にて、第４時間ＴＤ4を算出し、ステップＳ２９にて、第１時間ＴＤ1〜第４時間ＴＤ4に基づき、半周期の終了のゼロクロスタイミングから第１時間ＴＤ1遡ったタイミングにてサブヒータ制御信号Ｓｉｇ５のレベルをヒータ制御回路４４に含まれるＩＧＢＴを導通状態とするレベルに切替えて、サブヒータ３２を通電状態とする。
【００２９】
これにより、交流の半周期において、ゼロクロスタイミングから第１時間ＴＤ1経過する間と、ゼロクロスタイミングから第１時間ＴＤ1遡ったタイミングから第１時間ＴＤ1経過する間との２回、サブヒータ３２は通電状態とされるので、サブヒータ３２に流れる交流電流が閾値ＴＨ1を超えるのを抑制しつつ、いずれかの期間のみでサブヒータ３２が通電状態とされる場合に比べ、サブヒータ３２を効率良く通電状態とすることができる。
また、交流の半周期の開始のゼロクロスタイミングから終了のゼロクロスタイミングまでサブヒータ３２が通電状態とされたと仮定した時に、サブヒータ３２に流れる交流電流の値が減少していき閾値ＴＨ1となるタイミング、すなわち終了のゼロクロスタイミングから第１時間ＴＤ1遡ったタイミングを、電流センサ３７から受ける電流値信号Ｓｉｇ１に基づき算出し、算出したタイミング以後に、サブヒータ３２を通電状態とするので、サブヒータ３２の抵抗値が変動するなどしてサブヒータ３２に流れる交流電流の特性が変化したとしても、特性の変化による影響を抑えたタイミングを算出することができ、実験等により予め決定されたタイミングでサブヒータ３２を通電状態とする場合に比べ、サブヒータ３２に流れる交流電流の値が閾値ＴＨ1を超えるのを抑制しつつ、サブヒータ３２を効率良く通電状態とすることができる。サブヒータ３２へ供給される電力を制限しつつ、ＦＰＯＴを短縮することができる。
また、ヒータ電流が閾値ＴＨ1となるタイミングを精度良く算出することができる。
【００３０】
また、制御部３３は、ゼロクロスタイミングを特定すると（Ｓ１）、ステップＳ３にて、サブヒータ制御信号Ｓｉｇ５のレベルをヒータ制御回路４４に含まれるＩＧＢＴを導通状態とするレベルに切替えて、サブヒータ３２を通電状態とさせる。また、制御部３３は、ステップＳ２９にて、半周期の終了のゼロクロスタイミングから第１時間ＴＤ1遡ったタイミングにてサブヒータ制御信号Ｓｉｇ５のレベルをヒータ制御回路４４に含まれるＩＧＢＴを導通状態とするレベルに切替えて、サブヒータ３２を通電状態とする。これにより、半周期の開始のゼロクロスタイミングより後のタイミングにて、サブヒータ３２を通電状態とするよりも、通電期間を長くすることができる。また、半周期の終了のゼロクロスタイミングから第１時間ＴＤ1遡ったタイミングより後のタイミングにて、サブヒータ３２を通電状態とするよりも、通電期間を長くすることができる。
【００３１】
制御部３３は、ゼロクロスタイミングを特定すると（Ｓ１）、ステップＳ３にて、メインヒータ制御信号Ｓｉｇ４のレベルをヒータ制御回路４３に含まれるＩＧＢＴを導通状態とするレベルに切替えて、メインヒータ３１を通電状態とする。また、制御部３３は、ヒータ電流が閾値ＴＨ1以上となると、ステップＳ１１にて、メインヒータ制御信号Ｓｉｇ４のレベルをヒータ制御回路４３に含まれるＩＧＢＴを非導通状態とするレベルに切替えて、メインヒータ３１を非通電状態とする。また、制御部３３は、ステップＳ２５にて、第１時間ＴＤ1〜第４時間ＴＤ4に基づき、半周期の終了のゼロクロスタイミングから第１時間ＴＤ1と第２時間ＴＤ2とを加算した時間遡ったタイミングにてメインヒータ制御信号Ｓｉｇ４のレベルをヒータ制御回路４３に含まれるＩＧＢＴを導通状態とするレベルに切替えて、メインヒータ３１を通電状態とする。これにより、２つのヒータを備える構成において、交流の半周期において、少なくともゼロクロスタイミングから第１時間ＴＤ1経過した後の第２時間ＴＤ2経過する間と、ゼロクロスタイミングから第１時間ＴＤ1と第２時間ＴＤ2とを加算した時間遡ったタイミングから第２時間ＴＤ2経過する間との２回、メインヒータ３１は通電状態とされるので、メインヒータ３１に流れる交流電流が閾値ＴＨ1を超えるのを抑制しつつ、いずれかの期間のみでメインヒータ３１が通電状態とされる場合に比べ、メインヒータ３１を効率良く通電状態とすることができる。メインヒータ３１へ供給される電力を制限しつつ、ＦＰＯＴを短縮することができる。
【００３２】
また、制御部３３は、ゼロクロスタイミングを特定すると（Ｓ１）、ステップＳ３にて、メインヒータ制御信号Ｓｉｇ４のレベルをヒータ制御回路４３に含まれるＩＧＢＴを導通状態とするレベルに切替えて、メインヒータ３１を通電状態とさせる。また、制御部３３は、ステップＳ２５にて、半周期の終了のゼロクロスタイミングから第１時間ＴＤ1と第２時間ＴＤ2とを加算した時間遡ったタイミングにてメインヒータ制御信号Ｓｉｇ４のレベルをヒータ制御回路４３に含まれるＩＧＢＴを導通状態とするレベルに切替えて、メインヒータ３１を通電状態とする。これにより、半周期の開始のゼロクロスタイミングより後のタイミングにて、メインヒータ３１を通電状態とさせるよりも、通電期間を長くすることができる。また、半周期の終了のゼロクロスタイミングから第１時間ＴＤ1遡ったタイミングにて、メインヒータ３１を通電状態とさせるよりも、通電期間を長くすることができる。
【００３３】
また、メインヒータ３１およびサブヒータ３２におけるＯＮ／ＯＦＦの制御は、それぞれ、ヒータ制御回路４３，４４に含まれるＩＧＢＴを制御することにより行われる。トライアックと異なり、ＩＧＢＴはゼロクロスタイミングによらずに非導通状態となることが可能である。このため、ＩＧＢＴを用いることにより、本実施形態に係る制御を好適に実現することができる。
【００３４】
尚、上記では、加熱装置３０が２つのヒータを備える例について説明したが、加熱装置３０が１つのヒータを備える構成においても、同様の制御を行うことができる。図６を用いて説明する。
制御部３３は、ヒータ制御処理を開始し、ゼロクロスタイミングを特定すると、ヒータを通電状態とし、カウンタ３３Ｂに時間の計測を開始させる。次に、制御部３３は電流値信号Ｓｉｇ１が示すヒータ電流の電流値が予めメモリ３３Ａに記憶されている閾値ＴＨ1に達したと判断すると、ヒータを非通電状態とする。また、制御部３３はカウンタ３３Ｂに計測を終了させ、測定された時間を第１時間ＴＤ11としてメモリ３３Ａに記憶させ、カウンタ３３Ｂに時間の計測を新たに開始させる。次に、制御部３３は、カウンタ３３Ｂが計測する時間が算出した(Ｔ/２−ＴＤ11×２)経過すると、ヒータを通電状態とする。
加熱装置３０が１つのヒータを備える構成において、ヒータは第１ヒータの一例である。ヒータと直列接続されるヒータ制御回路に含まれるＩＧＢＴは第１切替素子の一例である。ゼロクロスタイミングは、第１タイミングの一例である。閾値ＴＨ1は、閾値の一例である。閾値ＴＨ1に達したと判断してヒータを非通電状態とするタイミングは、第２タイミングおよび所定タイミングの一例である。第１時間ＴＤ11は、開始タイミングから第１閾値タイミングまでの時間の一例である。カウンタ３３Ｂが計測する時間が (Ｔ/２−ＴＤ11×２)経過するとヒータを通電状態とするタイミングは、第３タイミングの一例である。
【００３５】
（別例）
上記では、電流値信号Ｓｉｇ１が示すヒータ電流の電流値が閾値ＴＨ１に達した場合に、ヒータがＯＦＦされ、ゼロクロスタイミングからヒータがＯＦＦされるまでの時間に基づき、ヒータをＯＮする構成について説明した。電流値信号Ｓｉｇ１が示すヒータ電流の電流値に基づき、ヒータをＯＮするタイミングを算出する構成としても良い。この構成について図７を用いて説明する。
【００３６】
ゼロクロスタイミングから時間t1経過したタイミングで検出された電流値信号Ｓｉｇ１が示すヒータ電流の電流値が電流Ｉ1であったとする。ヒータのピーク電流をＩpとすると、電流Ｉ1は次の（式１）で表される。
Ｉ1＝Ｉp×ｓｉｎ(２π×(Ｔ/2−t1)/Ｔ)；（式１）
（式１）を変形すると次の（式２）となる。
Ｉp＝Ｉ1/(ｓｉｎ(２π×(Ｔ/2−t1)/Ｔ))；（式２）
ヒータ電流が定格電流値ＴＨ2となる時間を求めるには、ゼロクロスタイミングからヒータ電流が定格電流値ＴＨ2となるまでの時間をｔxとすると、方程式である次の（式３）を解けば良い。
ＴＨ2=Ｉp×ｓｉｎ(２π×(Ｔ/2−ｔx)/Ｔ)；（式３）
（式３）を整理すると、次の（式４）となる。
tｘ＝Ｔ/2−ａｒｃｓｉｎ(ＴＨ2/Ip)×Ｔ/(２π)；（式４）
従って、ゼロクロスタイミングから（式４）で算出される時間tx経過するタイミングでヒータをＯＦＦする。尚、ゼロクロスタイミングから時間tx経過するのを待たずにヒータをＯＦＦする構成としても良い。
制御部３３はゼロクロスタイミングからの経過時間が(Ｔ/２−tx)となると、ヒータをＯＮする。
【００３７】
ここで、（式１）は、第１タイミングから第１閾値タイミングまでの間に第１ヒータに流れる交流電流の値の変化を表す数式の一例である。時間t1は、所定タイミングの一例である。電流Ｉ1は、所定タイミングにて電流センサから受ける信号に基づく値の一例である。ゼロクロスタイミングから時間tx経過するタイミングでヒータをＯＦＦするタイミングは、第２タイミングの一例である。ゼロクロスタイミングからの経過時間が(Ｔ/２−tx)となるとヒータをＯＮするタイミングは、第３タイミングの一例である。
【００３８】
以上、説明した別例によれば、以下の効果を奏する。
制御部３３は、ゼロクロスタイミングから時間t1経過したタイミングで検出された電流Ｉ1と、時間t1とを用いて、（式１）を決定し、（式１）と定格電流値ＴＨ2とを用いて、ヒータ電流が定格電流値ＴＨ2となる時間txを算出する。これにより、ゼロクロスタイミングから時間t1経過したタイミングで検出された電流Ｉ1と、時間t1とを用いて、ヒータ電流が定格電流値ＴＨ2となるタイミングを精度良く推定し、決定することができる。
【００３９】
尚、本発明は前記実施形態に限定されるものではなく、本発明の趣旨を逸脱しない範囲内での種々の改良、変更が可能であることは言うまでもない。
例えば、上記では、制御部３３はステップＳ１にてゼロクロスタイミングを特定すると、ステップＳ３にてメインヒータ３１およびサブヒータ３２を通電状態とすると説明したが、これに限定されない。ゼロクロスタイミングより後のタイミングにてメインヒータ３１およびサブヒータ３２の少なくとも一方を通電状態とする構成としても良い。また、メインヒータ３１およびサブヒータ３２を通電状態とするタイミングは互いに異なるタイミングであっても良い。
【００４０】
また、上記では、ステップＳ３１にてＮＯと判断されるとステップＳ１へ戻ると説明した。つまり、ステップＳ１〜Ｓ３１の処理は、半周期毎に繰り返されると説明したが、これに限定されない。半周期毎に各ＯＦＦタイミングおよびＯＮタイミングが更新されずに、複数の半周期に渡って、同じＯＦＦタイミングおよびＯＮタイミングにて各々のヒータがＯＮ・ＯＦＦ制御される構成としても良い。
【００４１】
また、上記では、ヒータ制御回路４３，４４にはＩＧＢＴが含まれると説明したが、ＩＧＢＴではなく例えばＦＥＴなどのその他の半導体素子でも良い。
【００４２】
また、上記では、電流センサの一例として、交流電源１０１とＡＣ／ＤＣコンバータ３４とを接続する配線に配設される電流センサ３７を説明したが、これに限定されない。例えば、交流電源１０１とＡＣ／ＤＣコンバータ３４とを接続する配線から分岐してリレー４２へ至る経路に配設される構成としても良い。また、例えばリレー４２とメインヒータ３１およびサブヒータ３２とを接続する配線から分岐してメインヒータ３１へ至る経路に配設される電流センサと、リレー４２とメインヒータ３１およびサブヒータ３２とを接続する配線から分岐してサブヒータ３２へ至る経路に配設される電流センサとの２つの電流センサを備える構成としても良い。
【００４３】
また、上記では、メインヒータ３１の消費電力はサブヒータ３２の消費電力よりも大きいと説明したが、消費電力の大小を限定するものではない。２つのヒータを備える画像処理装置に適用することができる。
【００４４】
また、上記では、画像形成装置の一例として、モノクロレーザプリンタであるプリンタ１を例示したが、これに限定されず、例えばカラーレーザプリンタ、ＬＥＤを用いた照射によって感光ドラムの表面上に静電潜像を形成するプリンタ、コピー機能などの複数の機能を備える所謂複合機にも適用することができる。
【符号の説明】
【００４５】
１  プリンタ
３１  メインヒータ
３２  サブヒータ
３３  制御部
３７  電流センサ
４３  ヒータ制御回路
４４  ヒータ制御回路
１０１  交流電源
【図１】
2019179154.tif 000003
【図２】
2019179154.tif 000004
【図３】
2019179154.tif 000005
【図４】
2019179154.tif 000006
【図５】
2019179154.tif 000007
【図６】
2019179154.tif 000008
【図７】
2019179154.tif 000009